(57)【要約】ａ）式（Ｉ）（式中、Ｒ1は、水素、Ｃ1〜Ｃ4アルコキシ又はハロゲンであり、Ｒ2は、モノＣ1〜Ｃ4アルキルアミノ、式（II）の基であり、Ｘは、Ｃ2〜Ｃ4アルキレンであり、Ｙ1、Ｙ2は、互いに独立して、Ｃ1〜Ｃ4アルキル又はハロゲン、シアノ、ヒドロキシもしくはＣ1〜Ｃ4アルコキシによって置換されているＣ1〜Ｃ4アルキルであるか、Ｙ1及びＹ2又はＹ1及びＹ3が、窒素原子といっしょになって、５〜７員の複素環を形成し、Ｙ3は、水素、Ｃ1〜Ｃ4アルキル、Ｃ3〜Ｃ4アルケニル又はシアノ、ヒドロキシ、Ｃ1〜Ｃ4アルコキシ、フェニルもしくはＣ1〜Ｃ4アルコキシカルボニルによって置換されているＣ1〜Ｃ4アルキル、Ｃ3〜Ｃ4アルケニルであるか、Ｙ1、Ｙ2及びＹ3が、結合する窒素原子といっしょになって、ピロリジン、ピペリジン又はモルホリン基を形成し、Ａは対イオンである）のヒドロキシアリール−１，３，５−トリアジンから選択されるＵＶ吸収剤０．１〜１０重量％、ｂ）組成物の全重量に基づいて５〜２５重量％の布手入れ成分、及びｃ）残り実質的に水を含む布すすぎ組成物が開示されている。
2004525275.tif 000002
【特許請求の範囲】
【請求項１】
ａ）式
【化１】
2004525275.tif 000015
（式中、
Ｒ1は、水素、Ｃ1〜Ｃ4アルキル、Ｃ1〜Ｃ4アルコキシ又はハロゲンであり、
Ｒ2は、モノＣ1〜Ｃ4アルキルアミノ、ジＣ1〜Ｃ4アルキルアミノ、式
【化２】
2004525275.tif 000016
の基であり、
ＸはＣ2〜Ｃ4アルキレンであり、
Ｙ1、Ｙ2は、互いに独立して、Ｃ1〜Ｃ4アルキル又はハロゲン、シアノ、ヒドロキシもしくはＣ1〜Ｃ4アルコキシによって置換されているＣ1〜Ｃ4アルキルであるか、Ｙ1及びＹ2又はＹ1及びＹ3が、窒素原子といっしょになって、５〜７員の複素環を形成し、
Ｙ3は、水素、Ｃ1〜Ｃ4アルキル、Ｃ3〜Ｃ4アルケニル又はシアノ、ヒドロキシ、Ｃ1〜Ｃ4アルコキシ、フェニルもしくはＣ1〜Ｃ4アルコキシカルボニルによって置換されているＣ1〜Ｃ4アルキル、Ｃ3〜Ｃ4アルケニルであるか、
Ｙ1、Ｙ2及びＹ3が、結合する窒素原子といっしょになって、ピロリジン、ピペリジン又はモルホリン基を形成し、
Ａは対イオンである）
のヒドロキシアリール−１，３，５−トリアジンから選択されるＵＶ吸収剤０．１〜１０重量％、
ｂ）組成物の全重量に基づいて５〜２５重量％の布手入れ成分、及び
ｃ）残り実質的に水
を含む布すすぎ組成物。
【請求項２】
式
【化３】
2004525275.tif 000017
（式中、
Ｒ1は、水素又はＣ1〜Ｃ5アルキルであり、
Ｒ2は、モノＣ1〜Ｃ5アルキルアミノ、ジＣ1〜Ｃ5アルキルアミノ、式
【化４】
2004525275.tif 000018
の基であり、
ＸはＣ2〜Ｃ4アルキレンであり、
Ｙ1、Ｙ2及びＹ3は、互いに独立して、Ｃ1〜Ｃ5アルキルであり、
Ａは、請求項１で定義したとおりである）
で示される、請求項１記載の組成物。
【請求項３】
Ｒ1が、水素又はＣ1〜Ｃ2アルキルである、請求項１又は２記載の組成物。
【請求項４】
Ｒ2が、ジＣ1〜Ｃ2アルキルアミノ、Ｎ+（Ｃ1〜Ｃ2アルキル）3−Ａ-、Ｎ+（Ｃ1〜Ｃ2アルキル）2ＣＨ3−Ａ-であり、
Ａが、請求項１で定義したとおりである、請求項１〜３のいずれか１項記載の組成物。
【請求項５】
Ｒ2が、−Ｎ（ＣＨ3）3、−Ｎ（Ｃ2Ｈ5）2、−Ｎ+（ＣＨ3）3Ａ-又は−Ｎ+（Ｃ2Ｈ5）ＣＨ3Ａ-である、請求項４記載の組成物。
【請求項６】
Ｒ1が、水素又はメチルであり、
Ｒ2が、−Ｎ（ＣＨ3）3、−Ｎ（Ｃ2Ｈ5）2、−Ｎ+（ＣＨ3）3Ａ-又は−Ｎ+（Ｃ2Ｈ5）ＣＨ3Ａ-であり、
Ｘが、−ＣＨ2ＣＨ2−又は−ＣＨ2−ＣＨ2−ＣＨ2−であり、
Ａが
【化５】
2004525275.tif 000019
である、請求項２〜５のいずれか１項記載の組成物。
【請求項７】
Ａが
【化６】
2004525275.tif 000020
から選択される、請求項１〜６のいずれか記載の組成物。
【請求項８】
前記布手入れ成分が、カチオン性第四級アンモニウム塩、少なくとも１個のＣ8〜Ｃ30アルキル鎖を有する第三級脂肪アミン、分子１個あたり炭素原子８〜３０個及びカルボキシル基１個を有するカルボン酸、多価アルコールのエステル、脂肪アルコール、エトキシル化脂肪アルコール、アルキルフェノール、エトキシル化アルキルフェノール、エトキシル化脂肪アミン、エトキシル化モノグリセリド及びエトキシル化ジグリセリドから選択される、請求項１〜７のいずれか記載の組成物。
【請求項９】
カチオン性第四級アンモニウム塩布柔軟剤が、少なくとも２個のＣ8〜Ｃ30アルキル又はアルケニル鎖を有する非環式第四級アンモニウム塩、環式第四級アンモニウム塩、ジアミド第四級アンモニウム塩及び生分解性第四級アンモニウム塩から選択される、請求項８記載の組成物。
【請求項１０】
非環式第四級アンモニウム塩が、式
【化７】
2004525275.tif 000021
（式中、各Ｒ3基は、独立して、Ｃ1〜Ｃ4アルキル、ヒドロキシアルキル又はＣ2〜Ｃ4アルケニル基から選択され、Ｔは、
【化８】
2004525275.tif 000022
のいずれかであり、
各Ｒ4基は、独立して、Ｃ8〜Ｃ28アルキル又はアルケニル基から選択され、
ｅは、０〜５の整数である）
に相当する、請求項９記載の組成物。
【請求項１１】
非環式第四級アンモニウム塩が、式
【化９】
2004525275.tif 000023
（式中、
各Ｒ3基は、独立して、Ｃ1〜Ｃ4アルキル、ヒドロキシアルキル又はＣ2〜Ｃ4アルケニル基から選択され、
各Ｒ4基は、独立して、Ｃ8〜Ｃ28アルキル又はアルケニル基から選択され、
ｅは、０〜５の整数である）
に相当する、請求項９記載の組成物。
【請求項１２】
前記非環式第四級アンモニウム塩がジ−（パルムカルボキシエチル）−ヒドロキシエチル−メチルアンモニウム−メトスルフェートである、請求項１０記載の組成物。
【請求項１３】
前記非環式第四級アンモニウム塩が、ジ牛脂ジメチルアンモニウムメチルスルフェート、ジ（水添牛脂）ジメチルアンモニウムメチルスルフェート、ジステアリルジメチルアンモニウムメチルスルフェートもしくはクロリド及びジヤシ油ジメチルアンモニウムメチルスルフェートから選択される、請求項１０記載の組成物。
【請求項１４】
前記生分解性第四級アンモニウム塩が、Ｎ，Ｎ−ジ（牛脂オイル−オキシ−エチル）−Ｎ，Ｎ−ジメチルアンモニウムメチルスルフェート及びＮ，Ｎ−ジ（牛脂オイル−オキシ−プロピル）−Ｎ，Ｎ−ジメチルアンモニウムメチルスルフェートから選択される、請求項８又は９記載の組成物。
【請求項１５】
乳化剤、香料、着色染料、不透明剤、蛍光増白剤、殺菌剤、非イオン界面活性剤、ゲル化防止剤及び腐食防止剤から選択される補助剤をさらに含有する、請求項１〜１４のいずれか記載の組成物。
【請求項１６】
織物製品を処理するための、事前に洗濯した製品に、
ａ）組成物の全重量に基づいて０．１〜１０重量％の式（１）のＵＶ吸収剤、
ｂ）組成物の全重量に基づいて５〜２５重量％の布手入れ成分、及び
ｃ）残り実質的に水
を含む布すすぎ組成物を適用することを含む方法。
【請求項１７】
前記処理される織物製品が、羊毛、ポリアミド、木綿、ポリエステル、ポリアクリル、絹又はそれらの混合物で構成されている、請求項１８記載の方法。
【請求項１８】
前記処理される織物製品のＵＰＦ値を改善する、請求項１８又は１９記載の方法。
【請求項１９】
前記処理される織物製品の引裂き強度及び／又は耐光堅ロウ性を改善する、請求項１８又は１９記載の方法。
【発明の詳細な説明】
【技術分野】
【０００１】
本発明は、織物を処理するための組成物、特にＵＶ吸収剤を含有する布手入れ組成物及び当該組成物で織物を処理する方法であって、そのように処理される紡織繊維材料に対し、優れたＵＶ防護指数（ＵＰＦ）だけでなく、他の望ましい性質をも付与する方法に関する。
【０００２】
波長２８０〜４００nmの光放射線が表皮の日焼けを起こすことが知られている。同じく、波長２８０〜３２０nmの光線（「ＵＶ−Ｂ線」と呼ぶ）が、皮膚の日焼けを阻止することができる紅斑及び皮膚熱傷を生じさせることが知られている。
【０００３】
波長３２０〜４００nmの放射線（「ＵＶ−Ａ線」と呼ぶ）は、皮膚の日焼けを誘発することが知られているが、特に、長期間陽光にさらされる敏感な皮膚に対して皮膚損傷を生じさせることもある。このような損傷の例は、皮膚の弾力性の損失及びしわの出現、紅斑反応の発生の促進ならびに光毒性又は光アレルギー反応の誘発を含む。
【０００４】
陽光への過度な暴露の損傷効果から皮膚を効果的に防護するためには、陽光のＵＶ−Ａ及びＵＶ−Ｂの両成分を、皮膚表面に達する前に吸収するための手段を含まなければならない。
【０００５】
従来から、陽光のＵＶ成分による潜在的損傷に対する露出した人の皮膚の防護は、ＵＶＡを含有する調製物を皮膚に直接適用することによって実施されてきた。特に日差しの強い気候を享受する世界の地域、たとえばオーストラリアやアメリカでは、陽光への過度な暴露の潜在的危険性の意識が、伝えられているオゾン層損傷の結果の恐怖と併わさって、大幅に増大している。非防護状態での陽光への過度な暴露によって生じる皮膚損傷のより深刻な具現形態の一部は、皮膚における黒色腫及びガンの発生である。
【０００６】
陽光に対する皮膚防護のレベルを高める望みの一つの態様は、皮膚を直接防護したうえのさらなる手段の考慮であった。たとえば、衣服によって覆われ、したがって陽光には直接暴露されない皮膚を防護する備えが考慮されている。
【０００７】
大部分の天然及び合成織物材料は、少なくとも部分的に陽光のＵＶ成分を透過させてしまう。したがって、単に衣服を着ることが、必ずしも、ＵＶ線による損傷に対する十分な防護を衣服の下の皮膚に提供するわけではない。濃い色の染料を含有する及び／又は密織の組織を有する衣服はその下の皮膚に妥当なレベルの防護を提供することができるが、そのような衣服は、着る人の快適さの観点から、高温で日差しの強い気候では実用的ではない。
【０００８】
したがって、染められていないか淡い色にしか染められていない、軽量な夏服を含む衣服の下にある皮膚のためにＵＶ線に対する防護を提供することが要望されている。色素の性質に依存して、いくらか濃い色に染められた衣服の下の皮膚さえも、ＵＶ線からの防護を要するかもしれない。
【０００９】
このような軽量の夏服は通常、２００g/m2未満の密度を有し、その衣服が製造されている繊維のタイプに依存して１．５〜２０の陽光防護指数定格を有する。
【００１０】
陽光防護材（日焼け止めクリーム又は衣服）のＵＰＦ定格は、その陽光防護材を身につけた平均的な人が日光への平均的な暴露の下で日焼けを起こすのに要する時間の倍数と定義することができる。たとえば、平均的な人が通常、標準的な暴露条件下、３０分で日焼けを起こすならば、ＵＰＦ定格５を有する陽光防護材は、防護の期間を３０分から２時間３０分に延ばすであろう。一日のもっとも熱い時間帯で平均的な色白の人の場合で平均日焼け時間が最小限、たとえばわずか１５分である特に日差しが強い気候に住む人の場合、軽量の衣服には約２０のＵＰＦ定格が望まれる。
【００１１】
紡織繊維材料のＵＰＦ値の増大を実現する方法（「ＵＶカット」処理法と呼ぶことが多い）で使用するのに適切なＵＶＡの選択は、処理される紡織繊維材料が、そのＵＰＦ値の他に、広い範囲の分野の性能基準、たとえば洗濯堅ロウ性、耐光堅ロウ性及び引裂き抵抗をも満たさなければならないという事実を考慮しなければならない。
【００１２】
たとえば、現在公知の非反応性ＵＶＡは一般に、木綿に適用されたとき、不十分な洗濯堅ロウ性しか示さない。その結果、ＵＶカット用途における（また、耐光堅ロウ性を改善するための）その使用は限られる。
【００１３】
したがって、本発明は、第一の態様として、
ａ）式
【００１４】
【化１０】
2004525275.tif 000003
【００１５】
（式中、
Ｒ1は、水素、Ｃ1〜Ｃ4アルキル、Ｃ1〜Ｃ4アルコキシ又はハロゲンであり、
Ｒ2は、モノＣ1〜Ｃ4アルキルアミノ、ジＣ1〜Ｃ4アルキルアミノ、式
【００１６】
【化１１】
2004525275.tif 000004
【００１７】
の基であり、
ＸはＣ2〜Ｃ4アルキレンであり、
Ｙ1、Ｙ2は、互いに独立して、Ｃ1〜Ｃ4アルキル又はハロゲン、シアノ、ヒドロキシもしくはＣ1〜Ｃ4アルコキシによって置換されているＣ1〜Ｃ4アルキルであるか、Ｙ1及びＹ2又はＹ1及びＹ3が、窒素原子といっしょになって、５〜７員の複素環を形成し、
Ｙ3は、水素、Ｃ1〜Ｃ4アルキル、Ｃ3〜Ｃ4アルケニル又はシアノ、ヒドロキシ、Ｃ1〜Ｃ4アルコキシ、フェニルもしくはＣ1〜Ｃ4アルコキシカルボニルによって置換されているＣ1〜Ｃ4アルキル、Ｃ3〜Ｃ4アルケニルであるか、
Ｙ1、Ｙ2及びＹ3が、結合する窒素原子といっしょになって、ピロリジン、ピペリジン又はモルホリン基を形成し、
Ａは対イオンである）
のヒドロキシアリール−１，３，５−トリアジンから選択されるＵＶ吸収剤０．１〜１０、好ましくは０．１〜５重量％、
ｂ）組成物の全重量に基づいて５〜２５重量％の布手入れ成分、及び
ｃ）残り実質的に水
を含む安定な濃縮された布すすぎ組成物を提供する。
【００１８】
好ましくは、本組成物においては、式
【００１９】
【化１２】
2004525275.tif 000005
【００２０】
（式中、
Ｒ1は、水素又はＣ1〜Ｃ5アルキルであり、
Ｒ2は、モノＣ1〜Ｃ5アルキルアミノ、ジＣ1〜Ｃ5アルキルアミノ、式
【００２１】
【化１３】
2004525275.tif 000006
【００２２】
の基であり、
ＸはＣ2〜Ｃ4アルキレンであり、
Ｙ1、Ｙ2及びＹ3は、互いに独立して、Ｃ1〜Ｃ5アルキルであり、
Ａは、式（１）で定義したとおりである）
のＵＶ吸収剤が使用される。
【００２３】
好ましくは、式（２）で
Ｒ1が、水素又はＣ1〜Ｃ2アルキルであり、
Ｒ2が、ジＣ1〜Ｃ2アルキルアミノ、Ｎ+（Ｃ1〜Ｃ2アルキル）3−Ａ-、Ｎ+（Ｃ1〜Ｃ2アルキル）2ＣＨ3−Ａ-であり、
Ａが式（１）で定義したとおりである。
【００２４】
Ａは、好ましくは
【００２５】
【化１４】
2004525275.tif 000007
【００２６】
から選択される。
【００２７】
もっとも好ましくは、式（２）中、Ｒ2は、−Ｎ（ＣＨ3）3、−Ｎ（Ｃ2Ｈ5）2、−Ｎ+
（ＣＨ3）3Ａ-又は−Ｎ+（Ｃ2Ｈ5）ＣＨ3Ａ-である。
【００２８】
もっとも好ましいものは、
Ｒ1が、水素又はメチルであり、
Ｒ2が、−Ｎ（ＣＨ3）3、−Ｎ（Ｃ2Ｈ5）2、−Ｎ+（ＣＨ3）3Ａ-又は−Ｎ+（Ｃ2Ｈ5）ＣＨ3Ａ-であり、
Ｘが、−ＣＨ2ＣＨ2−又は−ＣＨ2−ＣＨ2−ＣＨ2−であり、
Ａが
【００２９】
【化１５】
2004525275.tif 000008
【００３０】
である式（２）の化合物である。
【００３１】
本組成物で使用されるＵＶ吸収剤は、特に範囲Ｉ＝３００〜４００nmのＵＶ光を容易に吸収し、吸収したエネルギーを、中間化学反応により、非干渉性の安定な化合物又は非干渉性形態のエネルギーに転換する。ＵＶ吸収剤は当然、すすぎサイクル布柔軟剤組成物と適合性があるべきである。好ましくは、使用されるＵＶ吸収剤は、すすぎサイクル布柔軟剤処理の間に、洗濯される織物製品に吸収されることができるＵＶ吸収剤である。
【００３２】
本組成物で使用される好ましいＵＶ吸収剤を表１に一覧する。
【００３３】
【表１】
2004525275.tif 000009
【００３４】
対イオン水素スルフェート及びメトスルフェートは、異なる反応条件に依存して形成され、異なる重量比で存在する。
【００３５】
式（１）の化合物は公知であり、たとえばＥＰ−Ａ０３５７５４５に記載されている方法で調製することができる。
【００３６】
本明細書で使用するのに適した布柔軟剤（成分（ｂ））は、以下のクラスの化合物から選択される。
【００３７】
（ｉ）カチオン性第四級アンモニウム塩。このようなカチオン性第四級アンモニウム塩の対イオンは、ハライド、たとえばクロリドもしくはブロミド、メチルスルフェート又は文献で周知である他のイオンであることができる。好ましくは、対イオンは、メチルスルフェートもしくはいずれかのアルキルスルフェート又はいずれかのハライドであり、本発明の乾燥剤添加製品の場合、メチルスルフェートがもっとも好ましい。
【００３８】
カチオン性第四級アンモニウム塩の例は以下を含むが、これらに限定されない。
【００３９】
１．少なくとも２個のＣ8〜Ｃ30、好ましくはＣ12〜Ｃ22アルキル又はアルケニル鎖を有する非環式第四級アンモニウム塩、たとえばジ牛脂ジメチルアンモニウムメチルスルフェート、ジ（水添牛脂）ジメチルアンモニウムメチルスルフェート、ジステアリルジメチルアンモニウムメチルスルフェートもしくはクロリド、ジヤシ油ジメチルアンモニウムメチルスルフェートなど。布柔軟剤化合物が、少なくとも１個のエステル結合を介して分子に接続された２個のＣ12〜Ｃ18アルキル又はアルケニル基を有する化合物を含む水不溶性第四級アンモニウム物質であるならば、それが特に好ましい。第四級アンモニウム物質が存在する２個のエステル結合を有するならば、それはより好ましい。本発明に使用するのに特に好ましいエステル結合第四級アンモニウム物質は、式
【００４０】
【化１６】
2004525275.tif 000010
【００４１】
（式中、各Ｒ3基は、独立して、Ｃ1〜Ｃ4アルキル、ヒドロキシアルキル又はＣ2〜Ｃ4アルケニル基から選択され、Ｔは、
【００４２】
【化１７】
2004525275.tif 000011
【００４３】
のいずれかであり、各Ｒ4基は、独立して、Ｃ8〜Ｃ28アルキル又はアルケニル基から選択され、ｅは、０〜５の整数である）
によって示すことができる。
【００４４】
第二の好ましいタイプの第四級アンモニウム物質は、式
【００４５】
【化１８】
2004525275.tif 000012
【００４６】
（式中、各Ｒ3、ｅ及びＲ4は、上記で定義したとおりである）
によって示すことができる。
【００４７】
２．イミダゾリニウムタイプの環式第四級アンモニウム塩、たとえばジ（水添牛脂）ジメチルイミダゾリニウムメチルスルフェート、１−エチレン−ビス（２−牛脂−１−メチル）イミダゾリニウムメチルスルフェートなど。
【００４８】
３．ジアミド第四級アンモニウム塩、たとえばメチル−ビス（水添牛脂アミドエチル）−２−ヒドロキシエチルアンモニウムメチルスルフェート、メチルビ（牛脂アミドエチル）−２−ヒドロキシプロピルアンモニウムメチルスルフェートなど。
【００４９】
４．生分解性第四級アンモニウム塩、たとえばＮ，Ｎ−ジ（牛脂オイル（tallowoyl）−オキシ−エチル）−Ｎ，Ｎ−ジメチルアンモニウムメチルスルフェート及びＮ，Ｎ−ジ（牛脂オイル−オキシ−プロピル）−Ｎ，Ｎ−ジメチルアンモニウムメチルスルフェート。生分解性第四級アンモニウム塩は、たとえば、引用例として本明細書に取り込む米国特許第４，１３７，１８０号、第４，７６７，５４７号及び第４，７８９，４９１号に記載されている。
【００５０】
好ましい生分解性第四級アンモニウム塩は、引用例として本明細書に取り込む米国特許第４，１３７，１８０号に記載されている生分解性カチオン性ジエステル化合物を含む。
【００５１】
（ii）少なくとも１個、好ましくは２個のＣ8〜Ｃ30、好ましくはＣ12〜Ｃ22アルキル鎖を有する第三級脂肪アミン。例は、硬化牛脂ジメチルアミン及び環式アミン、たとえば１−（水添牛脂）アミドエチル−２−（水添牛脂）イミダゾリンを含む。本明細書の組成物に使用することができる環式アミンは、引用例として本明細書に取り込む米国特許第４，８０６，２５５号に記載されている。
【００５２】
（iii）分子１個あたり炭素原子８〜３０個及びカルボキシル基１個を有するカルボン酸。アルキル部分は、炭素原子８〜３０個、好ましくは１２〜２２個を有する。アルキル部は、直鎖状又は分岐鎖状、飽和又は不飽和であり、直鎖状の飽和アルキルが好ましい。ステアリン酸が、本明細書の組成物に使用するのに好ましい脂肪酸である。これらのカルボン酸の例は、市販等級のステアリン酸及びパルミチン酸ならびに少量の他の酸を含有してもよいそれらの混合物である。
【００５３】
（iv）多価アルコールのエステル、たとえばソルビタンエステル又はグリセロールステアレート。ソルビタンエステルは、ソルビトール又はイソソルビトールと脂肪酸、たとえばステアリン酸との縮合物である。好ましいソルビタンエステルはモノアルキルである。ソルビタンエステルの一般的な例は、ソルビタンとイソソルビドステアレートとの混合物であるSPAN  60（ICI）である。
【００５４】
（ｖ）脂肪アルコール、エトキシル化脂肪アルコール、アルキルフェノール、エトキシル化アルキルフェノール、エトキシル化脂肪アミン、エトキシル化モノグリセリド及びエトキシル化ジグリセリド。
【００５５】
（vi）鉱油及びポリオール、たとえばポリエチレングリコール。
【００５６】
これらの柔軟剤は、開示内容を引用例として本明細書に取り込む米国特許第４，１３４，８３８号でより明確に記載されている。本明細書で使用するのに好ましい布柔軟剤は、非環式第四級アンモニウム塩である。ジ（水添）牛脂ジメチルアンモニウムメチルスルフェートが本発明の乾燥剤製品に非常に広く使用される。上述した布柔軟剤の混合物を使用してもよい。
【００５７】
加えて、本発明の組成物はまた、一以上の補助剤をわずかな割合で含有することができる。補助剤の例は、乳化剤、香料、着色染料、不透明剤、蛍光増白剤、殺菌剤、非イオン界面活性剤、ゲル化防止剤、たとえばアルカリ金属の亜硝酸塩もしくは硝酸塩、特に硝酸ナトリウム及び腐食防止剤、たとえばケイ酸ナトリウムを含む。
【００５８】
これら場合によって使用される各補助剤の量は、好ましくは、組成物の０．０５〜５重量％の範囲である。
【００５９】
特に好ましい場合によって使用される補助剤は、ＥＰ−Ａ０，６５９，８７７の９〜１５頁５６行目に開示されているカチオン性、両性又はアニオン性の蛍光増白剤である。
【００６０】
本発明はまた、第三の態様として、織物製品を処理して特にそのＵＰＦを改善するための、事前に洗濯した製品に、
ａ）組成物の全重量に基づいて０．１〜１０、好ましくは０．１〜５重量％の式（１）のＵＶ吸収剤、
ｂ）組成物の全重量に基づいて５〜２５重量％、特に１０〜２０重量％の布手入れ成分、及び
ｃ）残り実質的に水
を含む布すすぎ組成物を適用することを含む方法を提供する。
【００６１】
好ましくは、布手入れ成分は、布柔軟剤、しみ抜き成分もしくは防汚成分又は防水剤である。
【００６２】
織物製品を処理してそのＵＰＦを改善する好ましい方法は、事前に洗濯した製品に、
ａ）組成物の全重量に基づいて０．０５〜５、好ましくは０．１〜１．５重量％の式（１）のＵＶ吸収剤、
ｂ）組成物の全重量に基づいて５〜２５、好ましくは１０〜２０重量％のカチオン性布柔軟剤、及び
ｃ）残り実質的に水
を含むすすぎサイクル布柔軟剤組成物を適用することを含む。
【００６３】
本発明の方法にしたがって処理される織物製品は、広範囲のタイプの繊維、たとえば羊毛、ポリアミド、木綿、ポリエステル、ポリアクリル、絹又はそれらの混合物のいずれで構成されていてもよい。
【００６４】
本発明の方法及び組成物は、皮膚に防護を提供することに加え、たとえばその引裂き強度及び／又はその耐光堅ロウ性を保持することにより、本発明にしたがって処理された織物製品の有効寿命を延ばす。
【００６５】
以下の例が本発明をさらに説明する。
【００６６】
例１
以下の条件を適用して、漂白した木綿布５gをLinitestで洗い／すすぎした。
【００６７】
主洗い
洗剤用量：４g／l  ECE77（蛍光増白剤及び漂白剤を含まないホスフェート含有標準洗剤）
液比：１：２０
時間：１５分
温度：２５℃
【００６８】
水道水で３０秒間すすぎを実施し、スピン乾燥させた。
【００６９】
すすぎ浴
柔軟剤用量：１，６６g/l  濃縮Esterquat又は５g/l  稀釈DSDMAC
液比：１：４０
時間：１５分
温度：２５℃
【００７０】
布を６０℃でスピン乾燥させた。１回及び３回の洗いサイクル。
【００７１】
【表２】
2004525275.tif 000013
【００７２】
乾燥させた柔軟剤処理製品のＵＰＦを測定した。
【００７３】
ＵＰＦは、Ulbrichtボウルを備えた二重格子分光光度計を使用して、織物を透過するＵＶ光の計測によって測定した。ＵＰＦの計算は、B. L. Diffey及びJ. RobsonによってJ. Soc. Cosm. Chem. 40(1989), pp. 130-131に記載されているようにして実施した。
【００７４】
結果を表３に示す。
【００７５】
【表３】
2004525275.tif 000014
【００７６】
表２及び３の結果は、本発明のすすぎ組成物で処理された木綿基材のＵＰＦ値の改善を明白に実証する。
【国際公開パンフレット】
2004525275.tif 000024
2004525275.tif 000025
2004525275.tif 000026
2004525275.tif 000027
2004525275.tif 000028
2004525275.tif 000029
2004525275.tif 000030
2004525275.tif 000031
2004525275.tif 000032
2004525275.tif 000033
2004525275.tif 000034
2004525275.tif 000035
2004525275.tif 000036
2004525275.tif 000037
2004525275.tif 000038
2004525275.tif 000039
2004525275.tif 000040
2004525275.tif 000041
2004525275.tif 000042
【国際調査報告】
2004525275.tif 000043
2004525275.tif 000044
2004525275.tif 000045
2004525275.tif 000046